【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
導通量が制御可能な構成とされ、負荷回路に電源電流を導通する導通手段と、
負荷回路に供給される電源電流の変化率を検出する電流変化率検出手段と、
電流変化率検出手段により検出された電源電流の変化率に応じて前記導通手段の導通量を制御する制御手段とを備え、
前記制御手段は、前記電源電流変化率が大きいほど前記導通手段の導通量の増加率を減少させるフィードバック制御を実施し、導通量の増加率を一定に保つ制御を実施することを特徴とする電源制御回路。
【請求項２】
負荷回路に電源電流を供給する回路に挿入されたインピーダンス挿入手段と、
前記負荷回路に供給される前記電源電流の変化率を検出する電流変化率検出手段と、
前記電流変化率検出手段により検出された前記電源電流の前記変化率に応じて前記インピーダンス挿入手段のインピーダンスを制御する制御手段とを備え、
前記制御手段は、前記電源電流変化率が大きいほど前記インピーダンス挿入手段のインピーダンスの減少率を減少させるフィードバック制御を実施し、インピーダンスの減少率を一定に保つ制御を実施することを特徴とする電源制御回路。
【請求項３】
導通量が制御可能な構成とされ、負荷回路に電源電流を導通する導通手段と、
負荷回路に供給される電源電流の変化率を検出する電流変化率検出手段と、
電流変化率検出手段により検出された電源電流の変化率に応じて前記導通手段の導通量を制御する制御手段とを備え、
前記制御手段は、前記電源電流変化率が大きいほど前記導通手段の導通量の増加率を減少させるフィードバック制御を実施し、
前記電流変化率検出手段は前記負荷回路に供給される電源電流量に対応する電圧量を微分する微分回路を有し、
前記制御手段は前記微分回路の出力量を基準量と比較する比較手段と、その出力量を積分する積分回路とを有する請求項１に記載の電源制御回路。
【請求項４】
負荷回路に電源電流を供給する回路に挿入されたインピーダンス挿入手段と、
前記負荷回路に供給される前記電源電流の変化率を検出する電流変化率検出手段と、
前記電流変化率検出手段により検出された前記電源電流の前記変化率に応じて前記インピーダンス挿入手段のインピーダンスを制御する制御手段とを備え、
前記制御手段は、前記電源電流変化率が大きいほど前記インピーダンス挿入手段のインピーダンスの減少率を減少させるフィードバック制御を実施し、
前記電流変化率検出手段は前記負荷回路に供給される電源電流量に対応する電圧量を微分する微分回路を有し、
前記制御手段は前記微分回路の出力量を基準量と比較する比較手段と、その出力量を積分する積分回路とを有する請求項２に記載の電源制御回路。
【請求項５】
導通量が制御可能な構成とされ、負荷回路に電源電流を導通する導通手段と、
負荷回路に供給される電源電流の変化率を検出する電流変化率検出手段と、
電流変化率検出手段により検出された電源電流の変化率に応じて前記導通手段の導通量を制御する制御手段とを備え、
前記制御手段は、前記電源電流変化率が大きいほど前記導通手段の導通量の増加率を減少させるフィードバック制御を実施し、
前記電流変化率検出手段は前記負荷回路に供給される電源電流量を電圧量に変換する電流電圧変換手段と、
前記負荷回路に印加される電源電圧を検出することで前記負荷回路に対する電源起動動作の完了を検出する起動検出手段と、
前記起動検出手段により電源起動作完了を検出した際に前記電流電圧変換手段をバイパスするバイパス手段とを有する電源制御回路。
【請求項６】
負荷回路に電源電流を供給する回路に挿入されたインピーダンス挿入手段と、
前記負荷回路に供給される前記電源電流の変化率を検出する電流変化率検出手段と、
前記電流変化率検出手段により検出された前記電源電流の前記変化率に応じて前記インピーダンス挿入手段のインピーダンスを制御する制御手段とを備え、
前記制御手段は、前記電源電流変化率が大きいほど前記インピーダンス挿入手段のインピーダンスの減少率を減少させるフィードバック制御を実施し、
前記電流変化率検出手段は前記負荷回路に供給される電源電流量を電圧量に変換する電流電圧変換手段と、
前記負荷回路に印加される電源電圧を検出することで前記負荷回路に対する電源起動動作の完了を検出する起動検出手段と、
前記起動検出手段により電源起動作完了を検出した際に前記電流電圧変換手段をバイパスするバイパス手段とを有する電源制御回路。
【請求項７】
導通量が制御可能な構成とされ、負荷回路に電源電流を導通する導通手段を有する電源制御回路において前記導通手段の導通量を制御する方法であって、
前記負荷回路に供給される電源電流の変化率を検出する電流変化率検出段階と、
前記電流変化率検出手段により検出された電源電流の変化率に応じて前記導通手段の導通量を制御する制御段階とを有し、
前記制御段階は、前記電源電流変化率が大きいほど前記導通手段の導通量の増加率を減少させるフィードバック制御を実施し、導通量の増加率を一定に保つ制御を実施する段階を有する電源制御回路の制御方法。
【請求項８】
インピーダンスが制御可能な構成とされ、負荷回路に電源電流を供給する回路に挿入されたインピーダンス挿入手段を有する電源制御回路において、前記インピーダンス挿入手段のインピーダンスを制御する方法であって、
前記負荷回路に供給される電源電流の変化率を検出する電流変化率検出段階と、
前記電流変化率検出手段により検出された電源電流の変化率に応じて前記インピーダンス挿入手段のインピーダンスを制御する制御段階とを有し、
前記制御段階は、前記電源電流変化率が大きいほど前記インピーダンス挿入手段のインピーダンスの減少率を減少させるフィードバック制御を実施し、インピーダンスの減少率を一定に保つ制御を実施する段階を有する電源制御回路の制御方法。
【請求項９】
導通量が制御可能な構成とされ、負荷回路に電源電流を導通する導通手段を有する電源制御回路において前記導通手段の導通量を制御する方法であって、
前記負荷回路に供給される電源電流の変化率を検出する電流変化率検出段階と、
前記電流変化率検出手段により検出された電源電流の変化率に応じて前記導通手段の導通量を制御する制御段階とを有し、
前記制御段階は、前記電源電流変化率が大きいほど前記導通手段の導通量の増加率を減少させるフィードバック制御を実施する段階を有し、
当該電源制御回路は、前記電流変化率検出段階にて電源電流の変化率を検出するための手段として前記負荷回路に供給される電源電流を電圧に変換する電流電圧変換手段と、
当該電流電圧変換手段をバイパスする手段とを含み、
更に、前記負荷回路に印加される電源電圧を検出することで前記負荷回路に対する電源起動動作の完了を検出する起動検出段階と、
前記起動検出段階において電源起動作完了が検出された際に前記電流電圧変換手段をバイパスする手段を導通させる段階とを有する電源制御回路の制御方法。
【請求項１０】
インピーダンスが制御可能な構成とされ、負荷回路に電源電流を供給する回路に挿入されたインピーダンス挿入手段を有する電源制御回路において、前記インピーダンス挿入手段のインピーダンスを制御する方法であって、
前記負荷回路に供給される電源電流の変化率を検出する電流変化率検出段階と、
前記電流変化率検出手段により検出された電源電流の変化率に応じて前記インピーダンス挿入手段のインピーダンスを制御する制御段階とを有し、
前記制御段階は、前記電源電流変化率が大きいほど前記インピーダンス挿入手段のインピーダンスの減少率を減少させるフィードバック制御を実施する段階を有し、
当該電源制御回路は、前記電流変化率検出段階にて電源電流の変化率を検出するための手段として前記負荷回路に供給される電源電流を電圧に変換する電流電圧変換手段と、
当該電流電圧変換手段をバイパスする手段とを含み、
更に、前記負荷回路に印加される電源電圧を検出することで前記負荷回路に対する電源起動動作の完了を検出する起動検出段階と、
前記起動検出段階において電源起動作完了が検出された際に前記電流電圧変換手段をバイパスする手段を導通させる段階とを有する電源制御回路の制御方法。